(57)【要約】
【課題】
枕やクッション製品の充填材でマイナスの自由電子を効率良く放出してリラクゼーション作用を奏しめるクッション用充填材並びにこれを用いた健康枕及び健康クッション製品の提供。
【解決手段】
オレフィン系樹脂１００重量部に対して０．３〜５．０重量部のゲルマニウム微粉末を添加して溶融押出を行い、特定形状の中空成形体に成形してクッション用充填材となすと共に、その適当量を布袋や網袋に詰め込んで枕やクッション製品を作成する。
【選択図】  
図２
0003100847.tif 000002
【実用新案登録請求の範囲】
【請求項１】
ゲルマニウム微粉末をオレフィン系樹脂１００重量部に対し０．３〜５．０重量部の一定比率に混ぜ合わせたものを溶融押出し、内径凡そ４ｍｍ〜８ｍｍ、肉厚凡そ０．３ｍｍで長さ凡そ５ｍｍ〜１０ｍｍの中空成形体に成形してあることを特徴とするクッション用充填材。  
【請求項２】
ゲルマニウム微粉末は、粒子径が凡そ３０μｍ程度の有機ゲルマニウム微粒子であることを特徴とする請求項１に記載のクッション用充填材。
【請求項３】
オレフィン系樹脂は、軟質ポリエチレンであることを特徴とする請求項１又は２に記載のクッション用充填材。
【請求項４】
中空成形体は、その外表面の長さ方向に沿って筋状突起部を一定間隔に形成させたものとなしてあることを特徴とする請求項１〜３何れかに記載のクッション用充填材。
【請求項５】
請求項１〜４何れかに記載のクッション用充填材を布袋や網袋に詰め込んでなる健康枕。
【請求項６】
請求項１〜４何れかに記載のクッション用素材を布袋や網袋に詰め込んでなる健康クッション製品。
【考案の詳細な説明】
【技術分野】
【０００１】
本考案は、マイナスの自由電子を放出するクッション用充填材並びにこれを使用した健康枕及び健康クッション製品に関するものである。
【背景技術】
【０００２】
一般に枕本体やクッション製品の充填材としては、そば殻、綿、その他様々な材料が用いられているが、近年では安眠を促す枕や患部の痛みを緩和させるクッションの充填材として、竹炭やトルマリン鉱石を袋体に直接填入したり、或いは従来からの中空ビーズをマイナスイオンパウダーや遠赤外線パウダーに含浸加工若しくはコーティング加工を施したものが使用されている。
【０００３】
しかしながら、これらの場合、発生するマイナスイオンは特定方向の放出に限られることから、充分な効果を得るためには多量のものを使用したり、また外部から熱や風などの刺激を常時与えることが必要であり、決して使い勝手の良いものではなかった。
【０００４】
これに対し、外力を加えない静止状態でも、常時安定的にマイナスイオンを発生することができるクッションとして、クッション芯体か被覆材に、トルマリン粉末とジルコニウム化合物の粉末とからなる混合粉末を配合させてなるマイナスイオン発生粉体組成物を含有させたものが提案されている。
【０００５】
この場合にも、取り扱いに注意を要する原料を使用することになるため、安全面の点から決して使い勝手の良いものではなかった。
【特許文献１】特開２００２−２７２５６５号公報
【特許文献２】特開２００３−４８９３７号公報
【特許文献３】特開２００３−３９９号公報
【考案の開示】
【考案が解決しようとする課題】
【０００６】
解決しようとする問題点は、マイナスの自由電子によるリラクゼーション作用を安価で而も手軽に利用することができない点であり、本考案の目的とするところは、枕やクッション製品の充填材でマイナスの自由電子を効率良く放出してリラクゼーション作用を奏しめるクッション用充填材並びにこれを用いた健康枕及び健康クッション製品を安価にて市販に提供することにある。
【課題を解決するための手段】
【０００７】
本考案は、マイナスの自由電子を効率良く安定した状態で放出することができるようにするために、柔軟性に富み、防湿性や耐候性に優れる製品を形成させるオレフィン系樹脂に一定量のゲルマニウム微粉末を添加して溶融押出を行い、特定形状の中空成形体に形成させると共に、適当量の中空成形体を枕やクッション製品の充填材として使用することを特徴とする。
【考案の効果】
【０００８】
本考案のクッション用充填材は、３２℃以上の温度、光、電磁波に反応して容易にマイナスの自由電子を任意方向へ放出させることができるゲルマニウムをオレフィン系樹脂に配合させて製造してあることから、この充填材を填入した枕やクッション製品を人体に接触させることにより、プラスの電荷が偏ってバランスを崩している筋肉細胞を素速く正常に整えることができ、将又、該部の痛みを緩和させたりすることができる。
【考案を実施するための最良の形態】
【０００９】
マイナスの自由電子を効率良く放出し使い勝手の良いクッション用充填材を安価にて製造するという目的を、オレフィン系樹脂に一定のゲルマニウム微粉末を添加し特定形状に形成することで実現した。
【実施例１】
【００１０】
図１は、本考案のクッション用充填材１の斜視図であって、該クッション用充填材１は、ゲルマニウム微粉末とオレフィン系樹脂を一定比率で攪拌混合し、従来の溶融押出法により一定形状の中空パイプに形成されている。
【００１１】
上記ゲルマニウム微粉末は、無機ゲルマニウムや有機ゲルマニウムの微粉末を使用することができるが、有機ゲルマニウム微粉末は、このものが有機基を有することから、混合させる有機樹脂中に好適に分散されるほか、静電気を発生し難い成形体を形成することができるので好ましい。また、有機ゲルマニウム微粉末の大きさは任意に設定されるが、例えば、粒子径が凡そ３０μｍ程度の粉体になしたものを使用する。この場合、ゲルマニウムは微粉末になしたことにより、樹脂中への分散が均一になされ、また該樹脂から製造される成形体を補強させるものとなる。
【００１２】
オレフィン系樹脂としては、硬質ポリエチレン、軟質ポリエチレン、ポリプロピレンなどが使用されるが、軟質ポリエチレンはこれよりなる成形体が柔軟性に富み、また、融点温度がポリプロピレンなどに比べて低く且つ安価である点で好ましい。
【００１３】
而して、本考案に於けるクッション用充填材１は、粒子径が凡そ３０μｍの有機ゲルマニウム微粉末を、軟質ポリエチレン１００重量部に対して０．３〜５．０重量部の割合で攪拌混合後、１５０℃〜１６０℃の温度で一軸或いは多軸押出機を用いて溶融混練してパイプダイスへ押し出し、次いでカッターで切断して、内径凡そ４ｍｍ〜８ｍｍ、肉厚凡そ０．３ｍｍ、長さ凡そ５ｍｍ〜１０ｍｍの中空パイプに成形されるのである。
【００１４】
上記軟質ポリエチレンと有機ゲルマニウム微粉末の混合割合、即ちオレフィン系樹脂とゲルマニウム微粉末との混合割合は、本考案者が、製造した充填材を枕や膝当てクッションとして用い、患部の血行促進が図られ、また痛みが緩和された程度を基準に試行錯誤した結果、上記数値範囲に決定したものであり、好ましくは０．５％程度の重量割合で混合させるのがよいものであった。
【００１５】
本考案では、上記各成分に加えて、必要に応じて、所望の特性を付与するため、一般にオレフィン系樹脂に添加される通常用いる各種添加剤、即ち、酸化防止剤、耐熱安定剤、耐電防止剤、難燃剤、潤滑剤、可塑剤及び抗菌剤、補強用無機充填剤や有機充填剤などを配合することができる。
【実施例２】
【００１６】
図２は、本考案に係る別の実施形態であり、中空パイプを成形する際に、パイプダイスの表面に複数個の傷を付けたものを使用するほかは、実施例１と同様にして行った。
この場合、図２に示す如く、製造された中空パイプ１の外表面に対して、長さ方向に沿って複数個の筋状突起部２が形成させれるものとなる。これにより中空パイプ１の総表面積が広くなされることから、上記ゲルマニウム微粉末によるマイナスの自由電子の放出効率を増大させることができ、また多数個の中空パイプ１を填入した際のクッション性を向上させることができるものとなる。
とりわけゲルマニウム微粉末に無機ゲルマニウムを用いた場合には、隣接する中空パイプ間に筋状突起部２による適当な隙間が形成されることから、パイプ同士の摩擦による静電気が発生し難くなるので好ましい。ここに、筋状突起部２の個数、高さ及び間隔は特に制限されない。
【実施例３】
【００１７】
図３は、実施例１の如く製造した中空パイプ１の適当量を填入した枕３の一部破断斜視図であり、該枕３は、枕本体３ａの外表面に一定厚さのゲルマニウムパイプ層３ｂを設けるものとなしてある。
この際、ゲルマニウムパイプ層３ｂは任意に設計されるが、例えば、別生地で一定大きさの薄型袋３ｃを作成し、これに実施例１で製造した中空パイプ１を填入させて枕本体３ａの枕袋へ取り付けたものとなしてある。本考案はこれに限定されるものではなく、枕本体３ａの枕袋へ別生地を当接してその周囲を縫着し、ゲルマニウムパイプ層３ｂを一体的に形成するようになしてもよい。とりわけ、ゲルマニウムパイプ層３ｂを使用者の肩部側に配設させるようになしたものは、肩こりや冷えからくる肩の痛みを緩和させるのに好適である。
【実施例４】
【００１８】
図４は、実施例１の如く製造した中空パイプ１の適当量を布製或いは網製の一定形状の袋体に填入したクッションパッド４の一部破断斜視図である。
該クッションパッド４は、膝、腰、肘などの患部に当てて使用するために、ゴム紐や結び紐５を取り付けて、これら患部に固定できるようにしてある。
【図面の簡単な説明】
【００１９】
【図１】本考案に係るクッション用充填材の斜視図である。
【図２】本考案に係る別の実施形態を示すクッション用充填材の斜視図である。
【図３】本考案に係る健康枕の一部破断斜視図である。
【図４】本考案に係る健康クッションの一部破断斜視図である。
【符号の説明】
【００２０】
１      クッション用充填材（中空パイプ）
２      筋状突起部
３      枕
３ａ      枕本体
３ｂ      ゲルマニウムパイプ層
３ｃ      薄型袋
４      クッションパッド
５      結び紐  
【図１】
0003100847.tif 000003
【図２】
0003100847.tif 000004
【図３】
0003100847.tif 000005
【図４】
0003100847.tif 000006